(57)【特許請求の範囲】
【請求項１】
複数の曲画線の線画を有する印刷物の前記線画は、法線方向に沿って並列された複数の情報用曲画線と、前記情報用曲画線の両側に配置された始端曲画線と終端曲画線とを含むユニット画線を備え、
前記ユニット画線における前記始端曲画線、前記情報用曲画線及び前記終端曲画線がなす前記法線方向の各線の中心間の距離は、１６０μｍ乃至６００μｍの範囲内であるとともに、ユニット変換テーブルに基づいた埋め込まれる情報に対応して設定され、
前記ユニット画線は、複数集合して互いに交差する領域を有したユニット画線群を有していることを特徴とする印刷物の前記情報を検知する方法であって、
プロセッサ部により、前記線画の画像データを取得するステップと、
画像処理部により、前記画像データに空間周波数解析を行い空間周波数解析パターンを作成するステップと、
解析部により、前記空間周波数解析パターンから前記ユニット画線の各線の中心間の距離を認識し、前記中心間の距離からユニット変換テーブルに基づいた埋め込まれた前記情報の検知を行うステップと、
を備えることを特徴とする印刷物の情報を検知する方法。
【請求項２】
複数の曲画線の線画を有する印刷物の前記線画は、法線方向に沿って並列された複数の情報用曲画線と、前記情報用曲画線の両側に配置された始端曲画線と終端曲画線とを含むユニット画線を備え、
前記ユニット画線における前記始端曲画線、前記情報用曲画線及び前記終端曲画線がなす前記法線方向の各線の中心間の距離は、１６０μｍ乃至６００μｍの範囲内であるとともに、ユニット変換テーブルに基づいた埋め込まれる情報に対応して設定されており、
前記ユニット画線は、複数集合して互いに交差する領域を有したユニット画線群を有し、
前記ユニット画線には、各々の画線色彩が異なる複数の前記ユニット画線が含まれ、
前記複数のユニット画線ごとに異なる前記情報が対応する印刷物の前記情報を検知する方法であって、
前記印刷物を光学式画像入力装置を介して画像入力部に画像入力することにより、カラー画像デジタルデータを取得するステップと、
画像処理部により、前記カラー画像デジタルデータに対し、デジタル処理によるフィルタリングを用いて色分解することにより、前記複数のユニット画線のうちの少なくとも一つの色彩のユニット画線に対応した画像データを取得し、前記画像データに空間周波数解析を行い、空間周波数解析パターンを作成するステップと、
解析部により、前記空間周波数解析パターンから前記ユニット画線の各線の中心間の距離を認識し、前記中心間の距離からユニット変換テーブルに基づいた埋め込まれた前記情報の検知を行うステップと、
を備えることを特徴とする印刷物の情報を検知する方法。
【請求項３】
複数の曲画線の線画を有する印刷物の前記線画は、法線方向に沿って並列された複数の情報用曲画線と、前記情報用曲画線の両側に配置された始端曲画線と終端曲画線とを含むユニット画線を備え、
前記ユニット画線における前記始端曲画線、前記情報用曲画線及び前記終端曲画線がなす前記法線方向の各線の中心間の距離は、１６０μｍ乃至６００μｍの範囲内であるとともに、ユニット変換テーブルに基づいた埋め込まれる情報に対応して設定され、
前記ユニット画線は、複数集合して互いに交差する領域を有したユニット画線群を有していることを特徴とする印刷物の前記情報を検知する装置であって、
前記線画の画像データを取得するプロセッサ部と、
前記画像データに含まれる前記線画における前記ユニット画線の空間周波数パターンを抽出する画像処理部と、
前記空間周波数解析パターンから前記ユニット画線の各線の中心間の距離を認識し、前記中心間の距離からユニット変換テーブルに基づいた埋め込まれた前記情報の検知を行う解析部と、
を備えることを特徴とする印刷物の情報を検知する装置。
【請求項４】
複数の曲画線の線画を有する印刷物の前記線画は、法線方向に沿って並列された複数の情報用曲画線と、前記情報用曲画線の両側に配置された始端曲画線と終端曲画線とを含むユニット画線を備え、
前記ユニット画線における前記始端曲画線、前記情報用曲画線及び前記終端曲画線がなす前記法線方向の各線の中心間の距離は、１６０μｍ乃至６００μｍの範囲内であるとともに、ユニット変換テーブルに基づいた埋め込まれる情報に対応して設定され、
前記ユニット画線は、複数集合して互いに交差する領域を有したユニット画線群を有していることを特徴とする印刷物の前記情報を認証する方法であって、
プロセッサ部により、前記線画の画像データを取得するステップと、
画像処理部により、前記画像データに空間周波数解析を行い空間周波数解析パターンを作成するステップと、
解析部により、前記空間周波数解析パターンから前記ユニット画線の各線の中心間の距離を認識し、前記中心間の距離からユニット変換テーブルに基づいた埋め込まれた前記情報の検知を行うステップと、
判定部により、前記情報とデータベースに登録してある情報と一致しているか否か比較照合することで、前記印刷物が真正か否かの判定を行うステップと、
を備えることを特徴とする印刷物の情報を認証する方法。
【請求項５】
複数の曲画線の線画を有する印刷物の前記線画は、法線方向に沿って並列された複数の情報用曲画線と、前記情報用曲画線の両側に配置された始端曲画線と終端曲画線とを含むユニット画線を備え、
前記ユニット画線における前記始端曲画線、前記情報用曲画線及び前記終端曲画線がなす前記法線方向の各線の中心間の距離は、１６０μｍ乃至６００μｍの範囲内であるとともに、ユニット変換テーブルに基づいた埋め込まれる情報に対応して設定されており、
前記ユニット画線は、複数集合して互いに交差する領域を有したユニット画線群を有し、
前記ユニット画線には、各々の画線色彩が異なる複数の前記ユニット画線が含まれ、
前記複数のユニット画線ごとに異なる前記情報が対応する印刷物の前記情報を認証する方法であって、
前記印刷物を光学式画像入力装置を介して画像入力部に画像入力することにより、カラー画像デジタルデータを取得するステップと、
画像処理部により、前記カラー画像デジタルデータに対し、デジタル処理によるフィルタリングを用いて色分解することにより、前記複数のユニット画線のうちの少なくとも一つの色彩のユニット画線に対応した画像データを取得し、前記画像データに空間周波数解析を行い、空間周波数解析パターンを作成するステップと、
解析部により、前記空間周波数解析パターンから前記ユニット画線の各線の中心間の距離を認識し、前記中心間の距離からユニット変換テーブルに基づいた埋め込まれた前記情報の検知を行うステップと、
判定部により、前記情報とデータベースに登録してある情報と一致しているか否か比較照合することで、前記印刷物が真正か否かの判定を行うステップと、
を備えることを特徴とする印刷物の情報を認証する方法。
【請求項６】
複数の曲画線の線画を有する印刷物の前記線画は、法線方向に沿って並列された複数の情報用曲画線と、前記情報用曲画線の両側に配置された始端曲画線と終端曲画線とを含むユニット画線を備え、
前記ユニット画線における前記始端曲画線、前記情報用曲画線及び前記終端曲画線がなす前記法線方向の各線の中心間の距離は、１６０μｍ乃至６００μｍの範囲内であるとともに、ユニット変換テーブルに基づいた埋め込まれる情報に対応して設定され、
前記ユニット画線は、複数集合して互いに交差する領域を有したユニット画線群を有していることを特徴とする印刷物の前記情報を認証する装置であって、
前記印刷物の画像データを取得するプロセッサ部と、
前記画像データに含まれる線画部の切り出し、前記線画に含まれるユニット画線の空間周波数パターンを抽出する画像処理部と、
前記空間周波数解析パターンから前記ユニット画線の各線の中心間の距離を認識し、前記中心間の距離からユニット変換テーブルに基づいた埋め込まれた前記情報の検知を行う解析部と、
前記情報とデータベースに登録してある情報と一致しているか否か比較照合することで、前記印刷物が真正か否かの判定を行う判定部と、
を備えることを特徴とする印刷物の情報を認証する装置。
【発明の詳細な説明】
【技術分野】
【０００１】
本発明は、印刷物、該印刷物の検知方法及び検知装置、並びに認証方法及び認証装置に関する。
【背景技術】
【０００２】
株券、債券等の有価証券及び各種証明等の重要書類の印刷物において、偽造、変造防止策は重要な要素である。これら印刷物の偽造、変造防止策には、主に幾何学模様を多用化した図柄を意匠として用いる手法と、印刷物に対し何等かの手段と作用を加えると目視では認識できなかった潜像を現出するような手法がある。【０００３】
前者の代表的な例は、証券印刷物等の意匠として広く用いられている地紋、彩紋模様、レリーフ模様等の幾何学模様を用いたものである。幾何学模様を用いた偽造、変造防止策としては、基本的に一定の画線幅による曲画線の集合によって模様を構成しているものがある。
【０００４】
これらの模様は、印刷物に意匠性を加味する。またこれらの模様に、写真製版による抽出や複写機による再生が困難な色彩を用いたり、複写機やスキャナの走査線入出力に対してモアレを発生させる複雑な曲画線を用いたりすることにより、偽造防止策としての役割を高めている。しかし、最近では高機能化した写真製版装置または複写機の出現によって、充分な偽造、変造防止効果をもたらしていないという問題があった。【０００５】
そこで本願発明者らは、次の（１）、（２）の技術を提案している。【０００６】
（１）曲画線の集合模様を、潜像を施さない部分を一本線、潜像を施した部分を二本線以上の画線で表現し、潜像を施した部分の二本線以上の画線は、二本線以上の画線の合計の画線幅が、潜像を施さない部分の一本線の画線の画線幅と等しく、且つ、潜像を施さない部分の一本線から分岐し、更に、潜像を施さない部分と潜像を施した部分の画線上の境界線が、曲画線の集合模様を構成する基本曲線と潜像の輪郭線の交点において基本曲線に接する直線に対し、略直角に交わる直線となることを特徴とする複写防止模様の作成方法及びその印刷物（特願平６−２０６１４０号）を出願した。【０００７】
（２）曲画線の集合模様に、潜像を施さない部分を実線、潜像を施した部分を定周期断絶線で表現し、潜像を施した部分の定周期断絶線の合計上の実印刷される画線部と、画線部が断絶して欠落する非画線部の一周期において、画線部の面積に非画線部の面積を加算し、潜像を施した部分と潜像を施さない部分の曲線状方向の同一長さで同一画線面積率とする印刷物（特願平７−１３８８７９）を発明し出願した。【０００８】
これら（１）（２）の模様を有する印刷物によって、複写防止を必要とする株券、債券等の有価証券及び各種証明等の書重要書類の、地紋、彩紋模様、レリーフ模様等の曲画線の集合模様に複写機による偽造、変造防止効果を付与した複写防止模様の作成方法及び印刷物を提供している。【０００９】
しかし、今日ではカラー複写機の高機能化及びＤＴＰ（デスクトップパブリッシング）技術の高度化によって、前述（１）（２）の手法のコピー防止策は十分な偽造防止策に成り得なくなって来た。【００１０】
そこで、このような問題の解決法として、真偽判別において大量且つ高速処理できる機械読み取り検査方法が提案されている。しかし、今日の印刷物の機械読み取り検査方法は、磁性インキ、赤外線反射吸収インキ、蛍光インキ等の機能性インキや、印刷媒体を形成する繊維、材質、薬品類等による素材を検知するものである。これらの技術は、人間に感知できない特定の電磁波等に起因するものであり、印刷物を作製する上で材料適性に依存するものが多く、生産コスト面において経済性の見合う製品にしか付与することができない。【００１１】
また、印刷物の生産コストを特に考慮しない読み取り手法としては、一般印刷用インキのような印刷材料を適用することが可能な印刷物上の模様に対して、光学的に読み取る方法がある。比較的容易な光学読み取り方法としては、ＯＣＲ、ＯＭＲ、バーコード、二次元コード等が公知である。しかし、これらの光学読み取り方法を既存製品に用いる場合は、意匠、仕様の変更が要求される。【００１２】
また、これらの光学読み取り方法は広く市中に出回っている方法でもあり、符号が印刷画線として可視であるため、解読、改竄の危険性も予想され、偽造、変造防止手法としては不十分である。【００１３】
更に、同じく光学読み取り方法で図案等の意匠性を変えずに読み取り用情報を付与する方法として、一般に電子すかしと呼ばれる一連の技術がある。電子すかしは、コンシールドイメージ、デジタルすかしとも呼ばれる。主な用途として、高機能化したコピー技術やＤＴＰ技術におけるドキュメントファイルもしくはその印刷物に著作権情報を埋め込むものがある。【００１４】
電子すかしは、複製物においてもその周波数特性の劣化が少ないと言われ、最近では著作権保護の目的でインターネット上に配信されるデジタルイメージに施されることが多い。また、印刷物においてもその効果を奏することから、ポスターなどに利用されることも多くなって来た。【００１５】
電子すかしが最も効果を発揮できるのは連続階調（写真階調）模様である。連続階調（写真階調）模様は多値画像データであるから、十分な冗長度が存在するので周波数利用型に限らず画素置換型、画素空間利用型、量子化誤差拡散型等の多くの手法が提案され、文献、特許出願も数多く、今日注目を集めている技術の一つである。【００１６】
しかしながら、有価証券に用いられる地紋、彩紋模様、レリーフ模様等の曲画線の集合模様は基本的に２値画像である。このため冗長度が少なく、電子すかしの埋め込みは困難とされる。その結果、読み取り用信号の強度が弱く読み取り精度が低い点が問題となっていた。【００１７】
従って、印刷物の材料適性に依存しない偽造、変造防止手法で、例えば株券、債券等の有価証券、各種証明書及び重要書類等に適する偽造防止適性を有する模様を機械読み取りによって真偽判別できる有効な技術の開発が望まれている。
【発明の開示】
【００１８】
本発明は上述の点に鑑みなされたもので、例えば証券用線画から構成されている証券類等の芸術性を有する印刷物等において、偽造防止効果の高い印刷物、該印刷物の検知方法及び検知装置、並びに認証方法及び認証装置を提供することを目的とする。
【００１９】
本発明による印刷物は、線画を有する印刷物であって、前記線画は、法線方向に沿って並列された複数の画線を含むユニット画線を備え、前記ユニット画線における前記複数の画線がなす前記法線方向の各線の中心間の距離及び／又は余白の間隔は、埋め込まれる情報に対応して設定されていることを特徴とする。
【００２０】
ここで、少なくとも前記線画における前記ユニット画線が存在しない背景領域部分に、ダミー模様を備えてもよい。
【００２１】
前記ユニット画線には、各々の画線色彩が異なる複数の前記ユニット画線が含まれ、
前記複数のユニット画線ごとに異なる情報が対応するものであってもよい。
本発明による印刷物の情報を検知する方法は、複数の曲画線の線画を有する印刷物の線画は、法線方向に沿って並列された複数の情報用曲画線と、情報用曲画線の両側に配置された始端曲画線と終端曲画線とを含むユニット画線を備え、ユニット画線における始端曲画線、情報用曲画線及び終端曲画線がなす法線方向の各線の中心間の距離は、ユニット変換テーブルに基づいた埋め込まれる情報に対応して設定され、ユニット画線は、複数集合して互いに交差する領域を有したユニット画線群を有していることを特徴とする印刷物の情報を検知する方法であって、プロセッサ部により、線画の画像データを取得するステップと、画像処理部により、画像データに空間周波数解析を行い空間周波数解析パターンを作成するステップと、解析部により、空間周波数解析パターンからユニット画線の各線の中心間の距離を認識し、中心間の距離からユニット変換テーブルに基づいた埋め込まれた情報の検知を行うステップと、を備えることを特徴とする。
また、本発明による印刷物の情報を検知する方法は、複数の曲画線の線画を有する印刷物の線画は、法線方向に沿って並列された複数の情報用曲画線と、情報用曲画線の両側に配置された始端曲画線と終端曲画線とを含むユニット画線を備え、ユニット画線における始端曲画線、情報用曲画線及び終端曲画線がなす法線方向の各線の中心間の距離は、ユニット変換テーブルに基づいた埋め込まれる情報に対応して設定されており、ユニット画線は、複数集合して互いに交差する領域を有したユニット画線群を有し、ユニット画線には、各々の画線色彩が異なる複数のユニット画線が含まれ、複数のユニット画線ごとに異なる情報が対応する印刷物の情報を検知する方法であって、印刷物を光学式画像入力装置を介して画像入力部に画像入力することにより、カラー画像デジタルデータを取得するステップと、画像処理部により、カラー画像デジタルデータに対し、デジタル処理によるフィルタリングを用いて色分解することにより、複数のユニット画線のうちの少なくとも一つの色彩のユニット画線に対応した画像データを取得し、画像データに空間周波数解析を行い、空間周波数解析パターンを作成するステップと、解析部により、空間周波数解析パターンからユニット画線の各線の中心間の距離を認識し、中心間の距離からユニット変換テーブルに基づいた埋め込まれた情報の検知を行うステップと、を備えることを特徴とする。
本発明による印刷物の情報を検知する装置は、複数の曲画線の線画を有する印刷物の線画は、法線方向に沿って並列された複数の情報用曲画線と、情報用曲画線の両側に配置された始端曲画線と終端曲画線とを含むユニット画線を備え、ユニット画線における始端曲画線、情報用曲画線及び終端曲画線がなす法線方向の各線の中心間の距離は、ユニット変換テーブルに基づいた埋め込まれる情報に対応して設定され、ユニット画線は、複数集合して互いに交差する領域を有したユニット画線群を有していることを特徴とする印刷物の情報を検知する装置であって、線画の画像データを取得するプロセッサ部と、画像データに含まれる線画におけるユニット画線の空間周波数パターンを抽出する画像処理部と、空間周波数解析パターンからユニット画線の各線の中心間の距離を認識し、中心間の距離からユニット変換テーブルに基づいた埋め込まれた情報の検知を行う解析部と、を備えることを特徴とする。
本発明の印刷物の情報を認証する方法は、複数の曲画線の線画を有する印刷物の線画は、法線方向に沿って並列された複数の情報用曲画線と、情報用曲画線の両側に配置された始端曲画線と終端曲画線とを含むユニット画線を備え、ユニット画線における始端曲画線、情報用曲画線及び終端曲画線がなす法線方向の各線の中心間の距離は、ユニット変換テーブルに基づいた埋め込まれる情報に対応して設定され、ユニット画線は、複数集合して互いに交差する領域を有したユニット画線群を有していることを特徴とする印刷物の情報を認証する方法であって、プロセッサ部により、線画の画像データを取得するステップと、画像処理部により、画像データに空間周波数解析を行い空間周波数解析パターンを作成するステップと、解析部により、空間周波数解析パターンからユニット画線の各線の中心間の距離を認識し、中心間の距離からユニット変換テーブルに基づいた埋め込まれた情報の検知を行うステップと、判定部により、情報とデータベースに登録してある情報と一致しているか否か比較照合することで、印刷物が真正か否かの判定を行うステップと、を備えることを特徴とする。
本発明による印刷物の情報を認証する方法は、複数の曲画線の線画を有する印刷物の線画は、法線方向に沿って並列された複数の情報用曲画線と、情報用曲画線の両側に配置された始端曲画線と終端曲画線とを含むユニット画線を備え、ユニット画線における始端曲画線、情報用曲画線及び終端曲画線がなす法線方向の各線の中心間の距離は、ユニット変換テーブルに基づいた埋め込まれる情報に対応して設定されており、ユニット画線は、複数集合して互いに交差する領域を有したユニット画線群を有し、ユニット画線には、各々の画線色彩が異なる複数のユニット画線が含まれ、複数のユニット画線ごとに異なる情報が対応する印刷物の情報を認証する方法であって、印刷物を光学式画像入力装置を介して画像入力部に画像入力することにより、カラー画像デジタルデータを取得するステップと、画像処理部により、カラー画像デジタルデータに対し、デジタル処理によるフィルタリングを用いて色分解することにより、複数のユニット画線のうちの少なくとも一つの色彩のユニット画線に対応した画像データを取得し、画像データに空間周波数解析を行い、空間周波数解析パターンを作成するステップと、解析部により、空間周波数解析パターンからユニット画線の各線の中心間の距離を認識し、中心間の距離からユニット変換テーブルに基づいた埋め込まれた情報の検知を行うステップと、判定部により、情報とデータベースに登録してある情報と一致しているか否か比較照合することで、印刷物が真正か否かの判定を行うステップと、を備えることを特徴とする。
また、本発明による印刷物の情報を認証する装置は、複数の曲画線の線画を有する印刷物の線画は、法線方向に沿って並列された複数の情報用曲画線と、情報用曲画線の両側に配置された始端曲画線と終端曲画線とを含むユニット画線を備え、ユニット画線における始端曲画線、情報用曲画線及び終端曲画線がなす法線方向の各線の中心間の距離は、ユニット変換テーブルに基づいた埋め込まれる情報に対応して設定され、ユニット画線は、複数集合して互いに交差する領域を有したユニット画線群を有していることを特徴とする印刷物の情報を認証する装置であって、印刷物の画像データを取得するプロセッサ部と、画像データに含まれる線画部の切り出し、線画に含まれるユニット画線の空間周波数パターンを抽出する画像処理部と、空間周波数解析パターンからユニット画線の各線の中心間の距離を認識し、中心間の距離からユニット変換テーブルに基づいた埋め込まれた情報の検知を行う解析部と、情報とデータベースに登録してある情報と一致しているか否か比較照合することで、印刷物が真正か否かの判定を行う判定部と、を備えることを特徴とする。
【図面の簡単な説明】
【００２２】
【図１】本発明の実施例１による印刷物における証券用線画１を構成する彩紋エレメント３を示す図である。
【図２】同実施例１の印刷物４のユニット画線６を構成するユニット５を説明する図である。
【図３】同実施例１の所定の情報を埋め込んだユニット５の具体的な構成の一例を示す図である。
【図４】同実施例１の所定の情報を埋め込んだユニット５の具体的な構成の一例を示す図である。
【図５】同実施例１の印刷物１１のユニット画線１３を構成するユニット１２を説明する図である。
【図６】同実施例１の印刷物４のフーリエ変換パターンを示す図である。
【図７】同実施例１の印刷物１１のフーリエ変換パターンを示す図である。
【図８】本発明の実施例２による彩色を施した証券用線画を有する印刷物Ｃを説明する図である。
【図９】同実施例２の印刷物Ｃを有色透過フィルタで光学的に色分解またはデジタル処理によるフィルタリングによって色分解した分解画像を示した図である。
【図１０】同実施例３による線画で構成した彩紋エレメント１７の一例を示したものである。
【図１１】同実施例３による線画で構成した彩紋エレメント１８の一例を示したものである。
【図１２】同実施例３による彩紋エレメント２１に情報「＊２６４＃」からなる埋め込み情報を設けたものを説明する図。
【図１３】同実施例３による彩紋エレメント２２に情報「＊２６４＃」からなる埋め込み情報を設けたものを説明する図。
【図１４】同実施例３による彩紋エレメント２３に情報「＊２６４＃」からなる埋め込み情報を設けたものを説明する図。
【図１５】同実施例３による彩紋エレメント２４に情報「＊２６４＃」からなる埋め込み情報を設けたものを説明する図。
【図１６】本発明の実施例４による個人証明書型印刷物２５の全体像を示した図。
【図１７】同実施例４の個人証明書型印刷物２５にある彩紋エレメント部２７に埋め込まれた情報を読み取る光学式画像入力装置２９を示した図。
【図１８】同実施例４の個人証明書型印刷物２５に、彩紋エレメント部２７を作成する方法及びその装置の構成を示した図。
【図１９】同実施例４の彩紋エレメント部２７を作成する手順を示したフローチャート。
【図２０】同実施例４の個人証明書型印刷物２５の真偽判別を行う装置の構成を示した図。
【図２１】同実施例４の彩紋エレメント部２７のユニット画線を読み取る手順を示したフローチャート。
【符号の説明】
【００２３】
１    証券用線画 
２    意匠を成す複数の線画
３    彩紋エレメント
４    実施例１の印刷物
５    ユニット
６、１３    ユニット画線
７、１４    ユニット画線群
８    情報用曲画線
９    始端曲画線
１０    終端曲画線
１１    実施例１の別の印刷物
１２    実施例１の別のユニット
１５、１６    フーリエ変換画像
Ｃ      彩色を施した証券用線画を有する印刷物
Ｃ’    ユニット画線６の分解画像
Ｃ”    ユニット画線１３の分解画像
１７、１８    線画で構成した彩紋エレメント
１９、２０    ユニット画線格納領域
２１、２２    ユニット画線６を施した彩紋エレメント
２３、２４    ユニット画線１３を施した彩紋エレメント
２５    個人証明書型印刷物
２６    肖像部
２７    彩紋エレメント部
２８    個人情報テキスト部
２９    光学式画像入力装置
３０    プロセッサ部
３１    演算部
３１ａ  解析部
３１ｂ  画像処理部
３２    記憶部
３３    通信インタフェース（ＩＦ）
３４    入力部
３５    印刷部
３６    表示部
３７    演算部
３７ａ  画像処理部
３７ｂ  解析部
３７ｃ  判定部
３８    記憶部
【発明を実施するための最良の形態】
【００２４】
ところで、本発明者等は、証券用線画の画線を長手方向に所定の間隔で並列された複数の分断線から成る分断画線部で構成する情報の認証可能な印刷物及び判別方法、情報埋め込み方法に関する発明を特願２００２−１５１９号として提案している。この先行する出願に係る発明は、人間の目には分断画線部と通常の画線が同等に見えるように、その分断線の幅と長さを決め、これをフーリエ変換し、そのフーリエ変換パターンにおいて固有の周波数を認識し、真偽判別等に応用する技術である。【００２５】
しかしながら、この先行する発明では、証券用線画の画線を構成する分断画線部の複数の分断線は、単に一定間隔で長手方向に並列されている。よって、付与できる情報は、固有の長さ、ユニット長さ、連続的な曲画線によって配置されたユニット画線によりもたらされる周波数の種類に限定され、多くのバリエーションを与えることができない。【００２６】
またさらに、本発明者等は、複数のユニットが連続的に配置されたユニット画線により情報埋め込む発明を、特願２００２−５０６０６号により提案している。この出願に関わる発明によれば、情報に多くのバリエーションを与えることができる。このユニット画線をフーリエ変換し、得られたフーリエ変換パターンに含まれる固有の周波数を検知し、真偽判別を行うことができる。【００２７】
しかしながら、この発明では、ユニットが長手方向に並列していることからユニットの繰り返し回数に限度がある。また、微細な画線で構成することから印刷物でのユニット画線の欠落は避けることができない。画線を機械読み取りするには、およそ入力解像度が６００ｄｐｉ以上であることが望ましく、一般的な商業印刷物用の入力解像度と比較すると高目である。このため、機械読み取りを可能とする光学式読み取り装置や画像処理装置には、メモリ及び処理速度が充分であることが要求され、コスト増大を招いていた。
本発明はこのような点に着目して成されたものであり、以下、本発明の一実施の形態に係る印刷物、該印刷物の検知方法及び検知装置、並びに認証方法及び認証装置について、図面を参照して詳細に説明する。
ここで証券類、紙幣等に使用されている証券用線画は、万線状の直線（直万線）や曲線を含む画線が複数集合して幾何学的な意匠で構成されている。このような証券用線画を構成する要素となる画線を本発明では「画線」という。証券用線画では、意匠を成す複数の線画の間隔等において非常に高い規則性が存在する。【００２８】
以下の実施の形態では、この規則性に着目し、証券用線画の意匠を成す複数の線画の間隔及び位置の相関を評価することで、印刷物の情報の検知、認証を行う。【００２９】
さらに、本実施の形態では、この規則性を有する証券用線画を構成する複数本の画線（後述する「曲画線の間隔」）に変調を与えて情報を埋め込む。このようにして得られた印刷物をデジタル画像に変換して、デジタル機器（具体的には、コンピュータ）上で、証券用線画の間隔及び位置等による相関を分析し、印刷物に埋め込まれた情報を識別することにより、情報の検知、認証が可能となる。【００３０】
証券用線画に変調を与える手法として、本実施の形態では、証券用線画を構成する画線の一部又は全部を、複数のユニットから成るユニット画線で形成している。このようなユニット画線が複数集まりユニット画線群となり、証券用線画を構成する。【００３１】
複数のユニットの長さ（以下、「ユニット幅」という。）は予め決めた所定の幅とし、複数の曲画線から構成する。このユニット内の複数の曲画線を、画線の法線方向への互いの間隔を適宜設定して配置することで情報を埋め込む構成としている。即ち、ユニット内において複数の曲画線がなす法線方向の夫々の間隔は、埋め込まれる情報に対応して設定される。【００３２】
即ち、本実施の形態では、原図としての証券用線画を構成する画線をユニット画線で形成し、このユニット画線を、人間の視覚では証券用線画の意匠の一部に見えるような構成としている。【００３３】
このようにして埋め込まれた情報を識別し、印刷物の情報の認証をするため、複数のユニット画線から成るユニット画線群で構成される証券用線画に対し、例えばフーリエ変換等を行う。得られたフーリエ変換パターンから、証券用線画上のユニット幅及びユニット内における曲画線の配置に関する情報を抽出して、埋め込んだ情報を抽出し識別を行う。【００３４】
さらに、本実施の形態では、印刷物の証券用線画を構成する画線は、上記のようにユニットを単位とするものではなく、複数の曲画線が配置されて成るユニット画線群を単位とする。このユニット画線群により、証券用線画を表示する印刷物を構成し、さらに該印刷物の検知方法及び検知装置、並びに認証方法及び認証装置を実現するものである。
【実施例１】
【００３５】
本発明の実施例１による印刷物、該印刷物の検知方法について説明する。図１は、本実施例１に係る印刷物の原図となる証券用線画の一例である。この証券用線画１は、印刷された画線２から成る彩紋エレメント３を有しているが、この画線２乃至彩紋エレメント３は人間の視覚で認識できるものである。【００３６】
この証券用線画１の彩紋エレメント３に基づいて、図２（ａ）に示す本実施例１の印刷物４を作成する。印刷物４は、彩紋エレメント３を構成する意匠を成す複数の線画２の曲線形状に従って、夫々複数の同じ構成のユニット５から成るユニット画線６で彩紋エレメント３が描画されて成る画像である。これにより、複数のユニット画線６が集合したユニット画線群７は、彩紋エレメント３の意匠形態を成す。【００３７】
図２（ａ）の円内に、ユニット画線６の一部拡大図が示されている。この拡大図中の１本のユニット画線６を、さらに拡大して図２（ｂ）に示す。ユニット画線６を構成するユニット５は、予め決められた所定の幅（「ユニット幅」という）を有し、複数の曲画線から構成される。具体的には、ユニット５は、情報を埋め込む情報用曲画線８と、情報用曲画線８の両側の始端曲画線９及び終端曲画線１０とから成る。【００３８】
ユニット５は、所定の情報を埋め込む構成を備えている。図３（ａ）に、所定の情報を埋め込んだユニット５の具体的な構成を示す。このユニット５は、始端曲画線９と終端曲画線１０の間に４本の情報用曲画線８１〜８４が配置されて構成されている。所定の情報は、４本の情報用曲画線８１〜８４の互いの間隔を適宜決めることで埋め込まれる。尚、本実施例１で言う間隔とは、情報用曲画線８及び始端曲画線９及び終端曲画線１０における隣り合う夫々の線の中心から中心までの距離である。【００３９】
埋め込む情報を構成する情報要素（例．数字等の記号）に対応して、間隔を予め決めておく。本実施例１では、情報要素を十進数字とし、対応する間隔の一例を次の表１において示す。この表１中、＊、♯は、夫々識別子を表し、その必要性については後述する。識別子＊は、始端曲画線９と情報用曲画線８１との間隔に対応するものであり、識別子♯は、終端曲画線１０と情報用曲画線８４との間隔に対応するものである。
【００４０】
【表１】
0004898999.tif 000002
【００４１】
この表１のユニット変換テーブルに基づいて、ユニット５について、「２６４」という十進数字の組み合わせから成る情報を埋め込むためには、識別子＊と情報用曲画線８１との間隔を６００μｍ、情報用曲画線８１と情報用曲画線８２の間隔を２８０μｍ、情報用曲画線８２と情報用曲画線８３の間隔を４４０μｍ、情報用曲画線８３と情報用曲画線８４の間隔を３６０μｍに、情報用曲画線８４と識別子♯の間隔を１６０μｍに、夫々配置すればよい。ここで、「間隔」は画線間の中心距離であってもよく、あるいは線幅を除いた余白の間隔であってもよい。【００４２】
ユニット幅は、これらの間隔を合計した値である２３２０μｍとなる。ユニット画線６は、このような構成のユニット５が原図の画線２（図１参照）の法線方向沿って配置される。尚、情報用曲画線の画線幅Ｗは、情報用曲画線の最小間隔より小さく設定する。【００４３】
ここで、ユニット５内に、識別子＊及び識別子♯を配置する必要性について説明する。本実施例１に係る印刷物は、フーリエ変換画像としてパターンマッチング等の手法により埋め込まれた情報が検知される。情報「２６４」がフーリエ変換画像において検知される場合、この情報に対応した周波数位置（中心からの半径）に同心円状の図形が現れる。この情報「２６４」を示す同心円の周波数位置は、情報「４６２」をフーリエ変換して得られた画像において検知される同心円の周波数位置と同一であり、この位置において同様な強度を示すこととなる。よって、情報「２６４」と「４６２」とは、このままでは判別が不可能である。【００４４】
そこで、この二つの情報の判別を可能とするために、識別子「＊」を間隔６００μｍに対応させ、識別子「＃」を間隔１６０μｍに対応させ、情報要素とともに表１に登録する。「＊」は情報の開始を表す識別子、「＃」は情報の終了を表す識別子として夫々使用するのである。ここで、情報の開始を表す識別子「＊」のみを使用し、情報の終了を表す識別子＃を使用しない場合、即ち、「＊２６４」と「＊４６２」を比較すると「＊２６４」は「２６４＊」と同等に置き換えることが可能である。さらに、前述のように反対方向から読むと「＊４６２」となってしまい、「＊２６４」と「＊４６２」は同じフーリエ変換パターンとなってしまうことが分かる。そこで、情報の終了を表す識別子＃を用いれば、「＊２６４＃」と「＊４６２＃」は同じパターンとならないことから、両者の識別が可能となる。【００４５】
また、図３（ｂ）に示すように、白黒（ネガ・ポジ）の関係を逆転しても同様の効果を得ることができる。【００４６】
以上のように、図１に示す原図の証券用線画１の画線２をユニット画線６で形成し、ユニット画線６の集合であるユニット画線群７で図２（ａ）に示す証券用線画を表示するには、まず証券用線画１をスキャナ等のデジタル機器で読み取ってビットマップデータ等のデジタル画像データとする。これを作画ソフト（例えば、アドビ社から市販されているイラストレータ等）を用いて画線２を加工してユニット画線６に置き換える。【００４７】
或いは、コンピュータで作画ソフトを利用して、図２（ａ）に示すような、ユニット画線群７を有する証券用線画のデジタル画像を作成してもよい。いずれの手法であっても、作成した画像を印刷出力することにより、図２（ａ）に示すような印刷物が作成されるものであればよい。本実施例１では、このような印刷物の作画の仕方自体を発明の要旨とするものではないから、この点に関する説明は省略する。【００４８】
以上のような複数のユニット５から成るユニット画線６は、複数本集まってユニット画線群７となり証券用線画を構成する。これらのユニット画線群７は、複数のユニット画線７の相互の間隔に基づく異なる空間周波数を有し、ユニット５には情報「＊２６４＃」が埋め込まれている。これを印刷出力すると、見た目では図１に示す証券用線画１と同様な本実施例１に係る情報の認証可能な印刷物４が作成される。【００４９】
同様に、例えば、図１に示す同じ証券用線画１に、別の情報「＊８３１＃」を埋め込んだユニット１２を有する印刷物１１を作成するには、表１に基づいて、図４（ａ）に示すように、情報「＊８３１＃」に対応するように、始端曲画線９、情報用曲画線８及び終端曲画線１０の夫々の間隔を決めて、ユニット１２を作成する。このユニット１２のユニット幅は、印刷物１１と同様に２３２０μｍである。【００５０】
図４（ｂ）に示すように、白黒（ネガ・ポジ）の関係を逆転した場合にも同様の効果を得ることができる。【００５１】
そしてこのユニット１２を複数、画線の方向に連続して繰り返して構成されるユニット画線１３を用いて、原図１における画線２を形成する。図５に示すような、ユニット画線１３が集合したユニット画線群１４を用いて証券用線画を有する印刷物１１を作成する。【００５２】
以上のような手順で情報を埋め込んで得られた印刷物に対し、該情報を検知し真偽判別を行う方法、装置について説明する。上記印刷物４、１１をスキャナ等の画像入力装置で読み込み、読取結果をビットマップデータ（「デジタル画像データ」の一例に相当する）として格納する。このビットマップデータに、フーリエ変換を行う。【００５３】
本実施例１の印刷物４のフーリエ変換画像１５を図６に示し、印刷物１１のフーリエ変換画像１６を図７に夫々示す。これらのフーリエ変換画像１５、１６を例に、埋め込まれた情報「＊２６４＃」、情報「＊８３１＃」の夫々が、フーリエ変換パターンにおいてどのように現れるかについて、説明する。【００５４】
印刷物４、１１のフーリエ変換画像１５、１６において、フーリエ変換パターンにおけるピーク位置は同じ周波数位置、即ち中心から同心円上の輪までの距離が観測される。即ち、印刷物４と印刷物１１におけるユニット幅はどちらも２３２０μｍであり、このユニット幅に対応した周波数の位置、及びこの周波数の整数倍の位置にピークが観測されている。この点では、埋め込まれた情報の識別はつかない。【００５５】
ところが、印刷物４と印刷物１１のフーリエ変換パターンにおけるピークの強度は両者で異なり、特に４次のピーク（中心から４つ目の輪）において両者の違いは顕著に現れている。印刷物１のユニット５と印刷物４のユニット１２とは、夫々異なる情報（「＊２６４＃」、「＊８３１＃」）を埋め込むために情報用曲画線の配置の間隔が異なるが、これに起因して４次のピークの強度が異なる。【００５６】
即ち、同じユニット幅であれば、フーリエ変換パターンは同じ周波数位置にピークが観測されるが、ユニット内の情報用曲画線の配置の間隔が異なれば、ピーク強度が異なる。したがって、このフーリエ変換パターンを基に、印刷物へ埋め込んだ情報に係る情報用曲画線のユニット内での配置の間隔を認識することができる。この情報用曲画線の配置の間隔が埋め込んだ情報に対応するようにしておくことにより、印刷画線への所定の情報の埋め込み及びその読取が実現する。【００５７】
ところで、フーリエ変換パターンから本実施例１に係る印刷物の埋め込み情報を検知し、予め定めた所定の情報に対応させて埋め込み情報を識別する具体的な手法にはいくつかあるが、ここでは三つの手法について説明する。
（１）コンピュータ等の読取画像処理装置において、予め所定の埋め込み情報に対応するフーリエ変換パターンを記憶させておく。印刷物から読み取って検知したビットマップデータのフーリエ変換パターンを、この予め記憶してあるフーリエ変換パターンと比較して所定の情報と対応させ、埋め込み情報の識別を行う（パターンマッチング）。【００５８】
（２）予め所定の埋め込み情報に対応するフーリエ変換データのｋ次のピークの濃度分布曲線（フーリエ変換パターンにおけるピークのうち、内側からｋ番目のピークとなる濃度分布曲線を言う。）を予め用意しておく。これと、印刷物から読み取って検知したビットマップデータのフーリエ変換データのｋ次のピークの濃度分布とを比較することで、所定の情報に対応させて埋め込み情報を識別する。【００５９】
（３）印刷物から読み取ったビットマップデータのフーリエ変換パターンのｋ次のピーク位置における強度Ｉ（ｋ）を次の式（１）で計算する。【００６０】
【数１】
0004898999.tif 000003
【００６１】
ここで、Ｎは画線全体にあるユニット５の数、ｎはユニット５の中の曲画線の本数、ｘｉｊは次の数２で与えられるユニット５中のｉ番目の曲画線とｊ番目の曲画線の間隔をユニット幅で規格化した数値を表す。【００６２】
【数２】
0004898999.tif 000004
【００６３】
これらの式（１）、（２）によって、フーリエ変換パターンのｋ次のピーク位置における強度Ｉ（ｋ）の値を検知し、連立方程式を解くことにより、容易にユニット中の曲画線の配置を求めることが可能となる。これにより、埋め込み情報を検知することができる。【００６４】
一例として、情報「＊２６４＃」を埋め込んだユニット５を有する印刷物１の識別を説明する。この印刷物１のデジタル画像を読取り、フーリエ変換を行い、フーリエ変換パターンを得たとする。画像入力装置ではそのＦＦＴの１次のピーク位置から、ユニット幅は２３２０μｍであることが直ちに分かる。【００６５】
そして、１次、２次、３次、４次、５次のピークにおけるフーリエ変換パターンの相対強度をそれぞれ読み取り、これを上記数１数２にあてはめ、連立方程式を最小二乗法により解くことにより、ユニット５中の除法曲画線の配置、即ち、曲画線の間隔の並びを解くことが可能である。【００６６】
この連立方程式から、始端曲画線９、情報用曲画線８１〜４及び終端曲画線１０が互いに輻輳する間隔が、６００μｍ、２８０μｍ、４４０μｍ、３６０μｍ、１６０μｍと求まる。このようにして埋め込み情報を検知した後、表１に基づき十進数字と対応付けることにより、埋め込んだ情報は予め定められた情報「＊２６４＃」に対応付けられ、埋め込み情報が識別される。なお、情報「＊８３１」を埋め込んだ印刷物２についても同様に検知し、識別することが可能である。【００６７】
以上のように、ユニットの中で同じ数字等の記号が繰り返されるような例でも明確なフーリエ変換パターンのピーク強度が得られることから、曲画線にバリエーションを持たせ、規則的に配置することにより情報の埋め込み、読み取りが可能である。この実施例１では３桁の十進数字から成る情報を埋め込んでいる。しかしこれに限らず、本発明によれば、何桁の数字でも曲画線を用いて数字等の記号を表現可能であり、その結果を数字等の情報に対応した特徴的なピーク位置の周波数と強度を有するフーリエ変換パターンから認識することができる。【００６８】
尚、本実施例１では埋め込んだ情報の解析にフーリエ変換を用いているが、物理的にユニット画線の構造を空間周波数解析できる方法であれば、フーリエ変換に限るものではない。
【実施例２】
【００６９】
次に、ユニット画線を複数種類用いて、情報の記録容量を増やした実施例２について説明する。【００７０】
図８は、彩色を施した証券用線画を有する印刷物Ｃを示したものである。この印刷物Ｃに複数の埋め込み情報を設けるに際し、図１に示す証券用線画１において、ユニット画線６とユニット画線１３の２種類の構造を有するユニット画線を設け、図示はできないがユニット画線６とユニット画線１３の夫々には異なる彩色を施してある。例えば、ユニット画線６をシアン、ユニット画線１３をマゼンタとして印刷されるような設定を施す。つまり、本実施例は彩色ごとに異なる情報を証券用線画に設けたものである。そして、図８の印刷物Ｃを光学式画像入力装置で読み込み、読取結果をデジタル画像として保有する。ここで重要なのは、読取結果の色分解である。【００７１】
例えば、有色透過フィルタで光学的に色分解する手法として、光学式画像入力装置のレンズ等の画像入力部に赤色透過フィルタまたは緑色透過フィルタを通して印刷物Ｃを画像入力する手法がある。赤色透過フィルタを通すと図９（ａ）に示すようにユニット画線６の分解画像Ｃ’を得、緑色透過フィルタを通すと図９（ｂ）に示すようにユニット画線１３の分解画像Ｃ”を得る。また例えば、スキャナ等の光学式画像入力装置で印刷物Ｃを画像入力してデジタルカラー画像を得、公知のデジタル処理によるフィルタリングによって、図９（ａ）に示すようにユニット画線６の分解画像Ｃ’を得、緑色透過フィルタを通すと図９（ｂ）に示すようにユニット画線１３の分解画像Ｃ”を得る。【００７２】
即ち本実施例２では、ユニット画線６が情報「＊２４６＃」に対応し、ユニット画線１３が情報「＊８３１＃」に対応すると、図８に示す印刷物Ｃは合わせて６桁の数字を格納することができる。
【実施例３】
【００７３】
次に、ユニット画線を用いて意匠性及び実用性をより高めた実施例について説明する。【００７４】
図１０は、線画で構成した彩紋エレメント１７を示したものである。一般に証券類、紙幣等に使用されている証券用線画は、彩紋エレメント１７のように、様々な曲線形状と様々な画線幅をもって複雑に図形を構成している。この彩紋エレメント１７の模様の意匠としては、ユニット画線格納領域１９が情報の埋め込みに必要な部分であり、ユニット画線格納領域１９を除く他の領域における模様は意匠性を高めるためのダミー模様に相当する。【００７５】
図１１の彩紋エレメント１８は、図１０の彩紋エレメント１７と異なる意匠であるが、彩紋エレメント１７と同様にユニット画線格納領域２０を設けている。このユニット画線格納領域２０も情報の埋め込みに必要とする部分で、ユニット画線格納領域２０の他の模様は意匠性を高めるためのダミー模様である。【００７６】
図１０の彩紋エレメント１７に情報を埋め込むため、ユニット画線格納領域１９に、上述のユニット画線６を施すと図１２に示す彩紋エレメント２１のようになる。これによって、彩紋エレメント２１に情報「＊２６４＃」からなる埋め込み情報を設けることができる。【００７７】
また、図１１の彩紋エレメント１８に情報を埋め込むため、ユニット画線格納領域２０に、ユニット画線６を施すと図１３に示す彩紋エレメント２２のようになる。これによって、彩紋エレメント２２に情報「＊２６４＃」からなる埋め込み情報を設けることができる。即ち、彩紋エレメント２１と彩紋エレメント２２のように、夫々異なる意匠であっても、夫々同じ埋め込み情報が付与できるものである。【００７８】
また、図１０の彩紋エレメント１７に情報を埋め込むため、ユニット画線格納領域１９に、上述のユニット画線１３を施すと図１４に示す彩紋エレメント２３のようになる。これによって、彩紋エレメント２３に情報「＊８３１＃」からなる埋め込み情報を設けることができる。【００７９】
また、図１１の彩紋エレメント１８に情報を埋め込むため、ユニット画線格納領域２０に、ユニット画線１３を施すと図１５に示す彩紋エレメント２４のようになる。これによって、彩紋エレメント２４に情報「＊８３１＃」からなる埋め込み情報を設けることができる。即ち、彩紋エレメント２２と彩紋エレメント２４のように、夫々異なる意匠であっても、夫々同じ埋め込み情報が付与できるものである。【００８０】
また即ち、本実施例においては、ダミー模様の幻惑作用も手伝って、ユニット画線６とユニット画線１３の違いを、彩紋エレメント全体像の中からは肉眼視では区別し難い。よって、図１２の彩紋エレメント２１と図１４の彩紋エレメント２３は、同じ意匠でありながら夫々異なった埋め込み情報を有し、またさらに、図１３の彩紋エレメント２２と図１５の彩紋エレメント２４は、同じ意匠でありながら夫々異なった埋め込み情報を有するという特徴を備えているものである。ここでダミー模様は、ユニット画線６やユニット画線１３との関係において、それぞれフーリエ変換パターンのピークの強度が相互に干渉しないようにすることが望ましい。従って、ダミー模様に用いる図形には周期的な要素の強い模様は避けて、例えば画線の間隔と画線幅とが連続的に変化するような模様を用いることが望ましい。
【実施例４】
【００８１】
次に、情報を埋め込んだ彩紋エレメントを個人認証等の各種セキュリティ施策に適用した、本発明の実施例４による印刷物の認証方法、認証装置について説明する。【００８２】
図１６は、個人証明書型印刷物２５の全体像を示したものである。例えば個人証明書型印刷物２５は、該印刷物２５を携帯する個人の写真または似顔絵等から成る肖像部２６と、該印刷物２５を携帯する個人情報を埋め込んだ彩紋エレメント部２７と、彩紋エレメント部２７上に印字された該印刷物２５を携帯する個人情報テキスト部２８で構成している。彩紋エレメント部２７に埋め込めこんでいる情報は、例えば暗証番号、出生情報、居住地（国）情報、生体情報等、該印刷物を携帯する個人に関連する情報等であって、その内容を限定するものではない。【００８３】
そして、個人証明書型印刷物２５にある彩紋エレメント部２７に埋め込まれた情報を読み取るには、図１７に示すように、ＣＣＤカメラ等の光学式画像入力装置２９にて撮影（またはスキャニング）し、入力された画像データがプロセッサ３０部に伝送される。ＣＣＤカメラ等の光学式画像入力装置２９は、プロセッサ部３０を内蔵したデジタル・スチルカメラやカメラ付携帯電話機等、その形態を限定するものではない。【００８４】
次に、本実施例による個人証明書型印刷物２５に、彩紋エレメント部２７を作成する方法及びその装置について説明する。【００８５】
本装置は、図１８に示されたように、演算部３１、記憶部３２、通信インタフェース（ＩＦ)３３、入力部３４、印刷部３５、表示部３６を備えている。【００８６】
演算部３１は、処理に必要な演算の全てを行うもので、解析部３１ａ、画像処理部３１ｂを有し、記憶部３２、通信ＩＦ３３、入力部３４、印刷部３５、表示部３６に接続されている。【００８７】
解析部３１ａは、個人情報を符号化し、符号化した個人情報からユニット変換テーブルに基づいてユニットを生成する。【００８８】
画像処理部３１ｂは、彩紋エレメント部２７のユニット画線格納領域にユニット画線を施す処理を行う。【００８９】
記憶部３２は、演算部３１の演算に必要な各種データ及びその演算結果、さらには予め登録されてある彩紋エレメント部２７をデータベースとして保存している。このデータベースには、それぞれの彩紋エレメントデータにユニット画線格納領域が設けられているものが登録されている。【００９０】
通信ＩＦ３３は、図示されていないコンピュータ端末と演算部３１とを接続し、また、外部のコンピュータ端末から得た写真または似顔絵等から成る肖像部２６の個人情報、及びまたは個人情報テキスト部２８のテキストの転送を行う。【００９１】
入力部３４は、例えば操作パネル等を備えており、操作者からの入力を受け付けて操作内容を演算部３１に与える。【００９２】
印刷部３５は、彩紋エレメント部２７と他の個人情報要素と合成したドキュメントファイルを印刷し印刷物を出力する。【００９３】
表示部３６は、例えばＣＲＴ、液晶ディスプレイ、プリンタ等を少なくとも一つ有し、操作者に必要な情報を表示する。【００９４】
このような構成を備えた装置を用いて、彩紋エレメント部２７を作成する方法の手順を図１９のフローチャートを用いて説明する。【００９５】
ステップＳ１に示されたように、操作者が入力部３４の操作を介して、外部のコンピュータ端末から得た写真または似顔絵等から成る肖像部２６の個人情報、及びまたは個人情報テキスト部２８のテキストを演算部３１に転送する。さらに、暗証番号、出生情報、居住地（国）情報、生体情報等の個人情報を操作パネルから入力する。【００９６】
ステップＳ２として、入力された個人情報のうち、例えば暗証番号、出生情報、居住地（国）情報、生体情報等の少なくとも１つの個人情報を所定の処理、例えば上記実施例１に述べたような十進数字の組み合わせから成る情報として、解析部３１ａが個人情報を符号化しステップＳ４へ移行する。【００９７】
ステップＳ４として、実施例１に示したユニット変換テーブルに基づいて、符号化した個人情報からユニットの生成を解析部３１ａが行いステップＳ５へ移行する。【００９８】
ステップＳ３として、ステップＳ１にて操作者が入力部３４を介して、彩紋エレメント部２７に用いるために予め登録されてある彩紋エレメントをデータベースから選択しステップＳ５へ移行する。【００９９】
ステップＳ５において、ステップＳ４で個人情報から生成されたユニットを、ステップＳ３で選択した彩紋エレメント部２７のユニット画線格納領域にユニット画線の生成を画像処理部３１ｂが行いステップＳ６へ移行する。【０１００】
ステップＳ６として画像処理部３１ｂが、ステップＳ５にてユニット画線格納領域にユニット画線の生成した彩紋エレメント部２７と、他の個人情報要素即ち、写真または似顔絵等から成る肖像部２６の個人情報、及びまたは個人情報テキスト部２８のテキストとを合成する。この合成によって図１６に示す個人証明書型印刷物２５の体裁が整えられたドキュメントファイルを作成し、ステップＳ７へ移行する。【０１０１】
ステップＳ７では、ステップＳ６で作成されたドキュメントファイルを、印刷部３５により印刷出力を行う。図示されていないが、必要に応じてこの後、表示部３６に配置後の印刷物の表面を表示したりする。【０１０２】
本実施例４に従うことにより、所望の個人情報を彩紋エレメント部２７に潜在的に有する印刷物を容易に作成することができる。【０１０３】
次に、本実施例による個人証明書型印刷物２５の真偽判別法と、真偽判別の際に用いる装置とについて説明する。【０１０４】
先ず、図２０に真偽判別装置の構成を示す。尚、図１８に示された装置と同一の要素には、同一の番号を付して説明する。本装置は、演算部３７、記憶部３８、通信ＩＦ３３、入力部３４、表示部３６を備える。【０１０５】
演算部３７は、図示されてないコンピュータ端末と通信ＩＦ３３を介してプロセッサ部３０と接続されており、必要に応じて他のコンピュータ端末とも送受信する。この演算部３７は、解析部３７ｂ、画像処理部３７ａ、判定部３７ｃを有し、通信ＩＦ３３、記憶部３８、入力部３４、表示部３６とそれぞれ接続されている。【０１０６】
記憶部３８は、読み取り処理に必要なデータや処理結果等を格納すると同時に、個人情報が登録されたデータベースとなっている。【０１０７】
プロセッサ部３０は、図１７に示すように、個人証明書型印刷物２５をＣＣＤカメラ等の光学式画像入力装置２９にて撮影（またはスキャニング）し、入力された画像データを通信ＩＦ３３に供給する。【０１０８】
通信ＩＦ３３は、プロセッサ部３０から得た画像データを、演算部３７に供給する。また、通信ＩＦ３３と演算部３７との通信手段は、有線、無線等その手段を限定するものではなく、インターネット等の広域ネットワークを介しても良い。【０１０９】
入力部３４は、例えば操作パネル等を備えており、操作者からの入力を受け付けて操作内容を演算部３７に与える。また、プロセッサ部３０を経由し通信ＩＦ３３を介して操作者からの入力を受け付けた操作内容を演算部３７に与えることもできる。【０１１０】
画像処理部３７ａは、通信ＩＦ３３を介して得た個人証明書型印刷物２５の画像データから、彩紋エレメント部２７の切り出し処理を行う。さらに、本実施例１に示されたように、切り出された画像データの彩紋エレメント部２７から例えばフーリエ変換画像を得る処理を行う。【０１１１】
解析部３７ｂは、フーリエ変換画像のフーリエ変換パターンからユニット画線の構造を解析する処理を行う。但し、本実施例１に示されたフーリエ変換を用いる方法はあくまでも一例であり、物理的にユニット画線の構造を空間周波数解析できる方法であれば、フーリエ変換に限るものではない。【０１１２】
判定部３７ｃは、解析部３７ｂの解析結果に基づいて記録部３８のデータベースに登録されている個人情報と一致しているかどうかを判定する処理を行う。【０１１３】
表示部３６は、例えばＣＲＴ、液晶ディスプレイ、プリンタ等を少なくとも一つ有し、操作者に必要な情報を表示する。また、通信ＩＦ３３を介しプロセッサ部３０を経由して、演算部３７から得る操作者に必要な情報を表示することもできる。【０１１４】
このような構成を備えた装置を用いて、彩紋エレメント部２７のユニット画線を読み取る方法の手順を図２１のフローチャートを用いて説明する。【０１１５】
ステップＳ８として、図１７に示したように、個人証明書型印刷物２５をＣＣＤカメラ等の光学式画像入力装置２９にて撮影（またはスキャニング）し画像データを得る。【０１１６】
ステップＳ９として、光学式画像入力装置２９から得た画像データを、通信ＩＦ３３を介して演算部３７に転送する。【０１１７】
ステップＳ１０において、個人証明書型印刷物２５から得た画像データに含まれる彩紋エレメント部２７を画像処理部３７ａが切り出しをする。尚、画像データの切り出しは、本実施例４において必要に応じて実施するものであり、また画像処理アルゴリズムを何ら限定するものではない。【０１１８】
そして、彩紋エレメント部２７を切り出された画像データを、画像処理部３７ａにてフーリエ変換を行い、フーリエ変換画像を得、ステップ１１に移行する。【０１１９】
ステップＳ１１として、彩紋エレメント部２７中のユニット画線の構造をフーリエ変換画像のフーリエ変換パターンから解析部３７ｂが解析する。但し、フーリエ変換を用いる方法はあくまでも一例であり、物理的にユニット画線の構造を解析できる方法であれば、フーリエ変換に限るものではない。【０１２０】
ステップＳ１２において、ステップＳ１１の解析結果から、解析部３７ｂがユニット画線に施された個人情報を抽出する。【０１２１】
ステップＳ１３として、抽出された個人情報が記録部３８のデータベースに登録されている個人情報と一致している否か、判定部３７ｃが判定する。【０１２２】
そして、個人情報が記録部３８のデータベースに登録されている個人情報と一致している場合ステップＳ１４へ移行して当該印刷物の所有者は本人であると判定し、記録部３８のデータベースに登録されている個人情報と一致していない場合はステップＳ１５へ移行して印刷物２５の所有者は別人あるいは偽造であると判定する。【０１２３】
このような本実施例４に従い、印刷物２５に施された彩紋エレメント部２７の数学的構造の解析に基づく個人情報を読み取ることで、所有者が本人であるか別人であるかを容易に判別することができる。【０１２４】
上記実施例に係る情報の認証可能な印刷物によれば、証券用線画を複数の曲画線を有するユニットから成るユニット画線で構成することで埋め込み情報を設けることができる。さらに証券用線画をデジタル画像として読み取り、フーリエ変換等のユニット画線の構造を解析することで、埋め込み情報を検知し、認証することが可能である。これにより、印刷画線の有する美術的な効果を減じることなく、偽造防止効果を高めることができる。【０１２５】
特に、上記実施例によれば、印刷物の原図の画線を中心線とする法線方向に沿って、複数の曲画線を有するユニットから成るユニット画線で形成し、ユニット内において複数の曲画線がなす法線方向の夫々の間隔は、埋め込まれる情報に対応して設定されるようにすることにより、情報を埋め込むことができる。さらに、印刷物に埋め込まれた情報を、フーリエ変換等の周波数解析手法により検知し、真偽判別を行うことが可能であることから、真偽判別処理が容易かつ安定しており、偽造防止効果を高めることができる。同時に、低コストで、取り扱いが簡易であり、証券類、各種証明書及び重要書類等の多方面の分野で有用である。【０１２６】
以上、本発明を実施例に基づいて説明したが、本発明はこのような実施例に限定されるものではなく、特許請求の範囲に記載された技術的事項の範囲内で様々に変形することができることは言うまでもない。
【図１】
0004898999.tif 000005
【図２】
0004898999.tif 000006
【図３】
0004898999.tif 000007
【図４】
0004898999.tif 000008
【図５】
0004898999.tif 000009
【図６】
0004898999.tif 000010
【図７】
0004898999.tif 000011
【図８】
0004898999.tif 000012
【図９】
0004898999.tif 000013
【図１０】
0004898999.tif 000014
【図１１】
0004898999.tif 000015
【図１２】
0004898999.tif 000016
【図１３】
0004898999.tif 000017
【図１４】
0004898999.tif 000018
【図１５】
0004898999.tif 000019
【図１６】
0004898999.tif 000020
【図１７】
0004898999.tif 000021
【図１８】
0004898999.tif 000022
【図１９】
0004898999.tif 000023
【図２０】
0004898999.tif 000024
【図２１】
0004898999.tif 000025